(57)【要約】      （修正有）【課題】材料費が安く、また容易に製作でき、軽量なケースを提供する。【解決手段】アルミ、ジュラルミン、スチール等の金属製のケースは材料費が高く、また、製造にあたり、板材を切断したり、折曲加工したり、溶接したりするため、作業が煩雑である。このため、本発明では、速乾性があって耐火性、防水性、耐久性、耐環境性等々に優れたポリウレタン・ポリウレア樹脂を主素材としてケースを作製した。【選択図】図１
2009184716.tif 000002
【特許請求の範囲】
【請求項１】
主素材がポリウレタン・ポリウレア樹脂からなり、内部に中空状の機器収納用の収納部が形成されたことを特徴とするケース。
【発明の詳細な説明】
【技術分野】
【０００１】
この発明は、外用カメラ、ディスプレイハウジング（ケース）、駆動モータ等の機器収納ハウジング（ケース）のような各種機器類を収納するケースに関する。
【背景技術】
【０００２】
例えばカメラや壊れやすい精密機器、電子機器類を外で持ち運んだりする場合、一般的に、図５に示すようなアルミやジュラルミン、スチール等のケース内に収納して運搬したり、保管したりする。
【０００３】
図において（１０）は有底箱型のケース本体で、上部に開口部（１０ａ）が形成され、この開口部（１０ａ）はケース本体（１０）の左右に基端部が回転自在に取付けられた太陽電池からなる一対の観音扉（１１）によって開閉自在に構成されている。太陽電池パネルは、内部にバッテリーを収納した際の充電用のものである。なお、（１２）は持ち運び用の握部である。
【０００４】
また、他のケース例として、屋外に設置する監視カメラ用ケースがある。
【０００５】
図６（ａ）はそのケースの平面図、（ｂ）は側面図を示す。
【０００６】
図中（２０）は箱型のカメラ収納部本体で、前面開口部に着脱自在な固定枠（２１）が設けられ、内部に監視カメラ（図示せず）が収納される。固定枠（２１）の前面中央部には撮影用の透明体からなるドーム状の窓部（２２）が設けられている。また、カメラ収納部本体（２０）には取付脚（２３）が設けられている。
【０００７】
このカメラ収納部本体（２０）、固定枠（２１）、窓部（２２）等は防水構造となっており、カメラ収納部本体（２０）、固定枠（２１）および取付脚（２３）等は金属製のものからなる。金属製のものにおいては板状部材を切断したり、板金加工したり、各部を溶接したりして構成する。
【０００８】
また、図７の特許文献３に示されるような、基体３０に対し着脱自在な蓋体３１からなるやや複雑な形状の屋外用電子機器ケースがあり、やはり防水構造とし、内部に電子回路搭載用の基板（３２）を収納するようにしたものがある。３３は一端が基板３２に接続され、他端が外部に引き出されたコードである。
【特許文献１】特開２００５−０２５１０８号公報
【特許文献２】実用新案登録第３０１０９３８号公報
【特許文献３】特許第２９７９２７９号公報
【発明の開示】
【発明が解決しようとする課題】
【０００９】
このような金属製のケースは、特に最近、鉄・非鉄等の金属の資源高の傾向にあり、アルミ・その他の金属等は、今後、益々高値となるため、材料費がかかり、また、切断したり、折曲げ加工したり、溶接したりして製作するため、製造が煩雑であり、この点からもコスト高となるという課題がある。
【００１０】
この発明は上記のことに鑑み提案されたもので、その目的とするところは、材料費が安く、また容易に製作でき、軽量なケースを提供することにある。
【課題を解決するための手段】
【００１１】
本発明は、主素材がポリウレタン・ポリウレア樹脂からなり、内部に中空状の機器収納用の収納部が形成されたことを特徴とする。
【発明の効果】
【００１２】
以上のように本発明によれば、従来スチールやアルミなどで製作されていた屋外用カメラハウジングや屋外用ディスプレイケース、電子機器収納ケース等を主素材がポリウレタン・ポリウレア樹脂からなる中空状の収納部を有するケースとし、この樹脂は速乾性を有するため、作業性が良く迅速に製作でき、かつ容易に耐火性・防水性・耐久性・安全性・耐寒性・耐環境性等に優れたケースを得ることができる。
【発明を実施するための最良の形態】
【００１３】
以下、図面に沿って本発明の一実施例について説明する。
【実施例１】
【００１４】
図１は本発明に係るケースの一例を示す。
【００１５】
このケース１は、主素材がポリウレタン・ポリウレア樹脂からなる箱型をなし、収納物を内部に入れるための開口部２ａを有する有底箱状のケース本体２と、開口部２ａを塞ぐ開閉自在な蓋３とを備えている。
【００１６】
ケース１の主素材であるポリウレタン・ポリウレア樹脂は、イソシアネート化合物とポリオール化合物との反応物である。一般に２個以上の「−ＮＣＯ」基を持つポリイソシアネート化合物は、２個以上の活性水素基を持つ化合物と反応し、三次元、網目構造を形成する高分子化合物を結成し化学的に安定した材料となる。「ポリウレタン、ポリウレア、ハイブリット樹脂」を用いて従来のＦＲＰ工法を飛躍的に革新した技術がＲＳＭ（反応性スプレー成形）システムである。「速硬化」ポリウレタンは２成分システムである、ポリウレタン樹脂は、従来の塗料と異なり硬化速度が早くイソシアネート成分を主とするＡ液と、ポリオール成分を主とするＢ液をそれぞれ高圧ポンプで吐き出し、ノズル直前で衝突混合後噴霧すると、表面で数秒以内で硬化し各種下地（木、石、コンクリート、プラスチック、金属）に対して継ぎ目のない「プラスチック状」の保護被膜を形成する。
【００１７】
この革新的なＲＳＭ（反応スプレーシステム）は、硬質コーティングから軟質エラストマー（弾性物質）までさまざまな用途に利用できる。「速硬化」材料を使うことで生産性を劇的に改善し、労務コストを低減する。さらにＲＳＭ材料は無溶剤型（固形分１００％）なので厳しい環境規制を満たすことができ、材料コストを低減できる。ＲＳＭシステムのその他の利点として、抜群の靭性、および耐衝撃性、耐摩耗性、耐食性と熱衝撃強度を備えることができる画期的な超速硬化コーティングシステムであり、Ｒ−ＮＣＯ（イソシアネート）＋Ｒ’−ＯＨ（ポリオール）→Ｒ−ＮＨ−ＣＯＯ−Ｒ’（ポリウレタン）である。
【００１８】
本発明ではケース１の素材として、上記の環境対応型ポリウレタン・ポリウレア樹脂を用いたことに特徴を有している。
【００１９】
この環境対応型ポリウレタン・ポリウレア樹脂は、耐火性・防水性・安全性・耐久性・耐寒性・作業性という要素を全て解決する最新素材で、ＲＳＭ（反応性スプレー成形）システムは軟質エラストマーから硬質コーティングおよびプラスチックまで幅広いコーティング、成形システムである。
【００２０】
本発明で用いられるポリウレタン樹脂の特徴は次のとおりである。
１  超速硬化性：数十秒で硬化、高作業、高生産性
２  無溶剤：揮発成分がなく、作業環境に優しい
３  膜厚：１回塗りで０．５〜４ｍｍ、垂直面へ塗布してもタレを生じない
４  超防食性：耐水、耐薬品性に優れた防食塗膜が形成される。
５  耐候性：紫外線による劣化がほとんどない
６  高弾性強靭塗膜：耐衝撃性、耐寒性、耐摩耗性に優れている。
７  通常の一般的な金型に比べ型代がローコストで済む。
【００２１】
図２は本発明のケース本体２の一製作例を示す。４はポリウレタン・ポリウレア樹脂用の下型、５は同上型であり、下型４の下部中央部には上記Ａ液用のノズル６が設けられ、反対側に上記Ｂ液用のノズル７が設けられ、Ａ液、Ｂ液を高圧ポンプで上下型５、４のキャビティ内に衝突混合注入し、硬化後、開いて取り出せば、例えば図３に示すようなケース本体２を成形できる。
【００２２】
図１に示した蓋３についても同様にして成形できる。
なお、この例では、ケース本体２と蓋３とからなる単純な簡易形状のケース１を例にとって示したが、ケース１の形状についてはこれに限られるものではない。
【００２３】
ケース１としては、安価で加工が容易なダンボールの表面にＡ液とＢ液とを混合後噴霧してコーティングしたものを用いても良い。
【００２４】
図４はその断面を示し、８はダンボール、ａはコーティングを示す。予めダンボール８で所定形状のケース１を製作し、その後、所望の厚みのコーティグａを行っても良い。あるいは、ダンボール８で予め各部を製作しておき、その部分にコーティングａをし、各部を組み立てても良い。ダンボール８の表裏面は主素材であるコーティングａにより覆われ強度が高められ、防水性等も付与される。
【００２５】
本発明では、上記した種々の優れた特性を有する主素材で機器収納ケースを製作することで、内部収納機器を外部環境から守ることができる。防水性に関しても従来はその内部温度上昇から完全密閉型とするのが困難とされていた。その問題の解決には完全密閉型とし、内部機器の放熱または保温に環境に優しいノンフロンによるクーリング・ヒーティングシステムであるペリチェ素子を設け、内部ファンにより内部空気を循環させ、機器の熱上昇や凍結防止を図るように構成することができる。さらにはその外部放熱フィンおよびパネルに環境に優しい有機溶剤を含まず、耐熱、密着性、放熱、保熱、熱均一性等々の特性を持つ液体セラミックを塗布するようにしても良い。ケースとしての適用はカメラハウジング、旋回台、プラズマや液晶ディスプレイ用屋外ハウジング（ケース）等、電子機器の収納ケースやカバー、楽器のケース等広範囲に適用できる。
【図面の簡単な説明】
【００２６】
【図１】本発明の一実施例に係るケースの概略斜視図を示す。
【図２】本発明に係るケースの製作例を示す。
【図３】本発明のケースの一例の概略縦断面図を示す。
【図４】本発明の他の実施例の部分概略縦断面図を示す。
【図５】従来のカメラケースの一例を示す。
【図６】従来の屋外設置型監視カメラケースの一例を示す。
【図７】従来の屋外電子機器ケースの一例を示す。
【符号の説明】
【００２７】
１        ケース
２        ケース本体
２ａ      開口部
３        蓋
４        下型
５        上型
６、７    ノズル
８        ダンボール
ｃ        キャビティ
ａ        コーティング
【図１】
2009184716.tif 000003
【図２】
2009184716.tif 000004
【図３】
2009184716.tif 000005
【図４】
2009184716.tif 000006
【図５】
2009184716.tif 000007
【図６】
2009184716.tif 000008
【図７】
2009184716.tif 000009